(57)【特許請求の範囲】
【請求項１】
被加熱室に配置した床暖房パネルを含む放熱機からなる複数の端末と、これら複数の端末にそれぞれ対応して設けられ、前記端末への温水の供給・停止を行うための複数の熱動弁と、前記複数の端末に暖房用温水を供給する熱源機と、前記被加熱室に設置され、室温と設定温度との差により前記熱源機に温水供給信号を指示する複数のリモコンとを備え、
前記熱源機に設けられ複数の熱動弁を使用する端末の数により、その端末数に対応した熱動弁出力を複数のスイッチにおけるオン・オフの組み合わせによってグループ分けするための選択スイッチを前記熱源機に設けたことを特徴とする温水暖房装置。
【請求項２】
前記熱源機は、複数の熱動弁を開閉制御する場合、前記複数の熱動弁の開弁時には、その開弁開始時間をずらせて順次熱動弁を開弁させる構成とし、前記複数の熱動弁の閉弁時には、全ての熱動弁を同時に閉弁させる構成としたことを特徴とする請求項１に記載の温水暖房装置。
【発明の詳細な説明】
【０００１】
【産業上の利用分野】
本願は、床暖房パネルを含む放熱機を備えた各端末へ温水を供給するための熱動弁を熱源機に設けた温水暖房装置に関し、特にその熱動弁の制御方法に関する。
【０００２】
【従来の技術】
従来、この種の温水暖房装置においては、各部屋（系統）の端末に対応して温水の供給を制御する熱動弁を設け、この熱動弁の開閉により各部屋への温水供給量を適宜制御することで室内温度を快適温度に制御していた。
【０００３】
【発明が解決しようとする課題】
このような温水暖房装置では、例えば幼稚園やホ-ル等の大きな室内を暖房する場合、床下に複数の放熱機（例えば、床暖房の場合）を配置し、１台のリモコンにて室温制御する必要がある。
【０００４】
この場合、熱源機の温水供給口に複数の放熱機を接続し、１度にこれらの放熱機を使用すると、各放熱機への温水流量が減少してしまい暖房能力が低下してしまう。また、この場合、リモコンを接続している信号線の出力に対応している熱動弁出力に、他の熱動弁を並列接続し複数の放熱機への温水供給の制御を行うように構成したものでは、同時に複数の熱動弁がＯＮ（開弁）することで突入電流が大きく、電流ヒュ-ズが溶断する問題が発生していた。この発明は、複数の端末を備えた温水暖房装置において、暖房の能力の低下が起きにくい温水暖房暖房装置を提供するものである。
【０００５】
【課題を解決するための手段】
請求項１に記載の本発明は、被加熱室に配置した床暖房パネルを含む放熱機からなる複数の端末と、これら複数の端末にそれぞれ対応して設けられ、前記端末への温水の供給・停止を行うための複数の熱動弁と、前記複数の端末に暖房用温水を供給する熱源機と、前記被加熱室に設置され、室温と設定温度との差により前記熱源機に温水供給信号を指示する複数のリモコンとを備え、前記熱源機に設けられ複数の熱動弁を使用する端末の数により、その端末数に対応した熱動弁出力を複数のスイッチにおけるオン・オフの組み合わせによってグループ分けするための選択スイッチを前記熱源機に設けたことを特徴とする。
【０００６】
請求項２に記載の本発明は、請求項１に記載の温水暖房装置において、前記熱源機は、複数の熱動弁を開閉制御する場合、前記複数の熱動弁の開弁時には、その開弁開始時間をずらせて順次熱動弁を開弁させる構成とし、前記複数の熱動弁の閉弁時には、全ての熱動弁を同時に閉弁させる構成としたことを特徴とする。
【０００７】
【発明の実施の形態】
以下、本願を添付した図に基づき説明する。
【０００８】
尚、以下文中の高温端末と低温端末の違いは、エアコン（ファンコイルや温水の循環する熱交換器を備えたもの）やバス乾燥機（浴室乾燥機）等の温風により暖房を行うものは、８０℃前後の高い温度の温水を必要とすることから、高温端末と表現し、また、床暖房は４０〜６０℃前後の比較的低い温度の温水供給により暖房を行うことで床暖房可能のため低温端末と表現している。
【０００９】
図１は本発明の温水暖房装置のシステムを示す概略図であり、図中（１）は、ガスや石油等を燃焼させ、その燃焼熱により温水を生成する熱源機、（Ｈ１）……（Ｈ８）は熱源機（１）に内蔵している循環ポンプ（図示せず）により、熱源機（１）にて加熱・生成される温水を供給し、室内の暖房を行う放熱機として利用される床暖房パネル（放熱機）、（Ｒ１）……（Ｒ８）は室温と設定温度により熱動弁（ＳＶ１）……（ＳＶ８）をＯＮ・ＯＦＦする信号を（１）に送信し、放熱機（Ｈ１）（Ｈ８）への温水供給を制御することで室温を設定温度に制御する床暖房用リモコン（リモートコントローラ）である。
【００１０】
図２は本発明の温水暖房装置の制御システムを示す概略図であり、図中（２）は温水エアコン等からなる高温端末で、熱源機（１）の通信回路（１Ａ）と通信回路（２Ａ）を接続した信号線（Ｘ１）により運転状態や指示を熱源機（１）と通信可能に構成されているものである。また、熱源機（１）は低温端末としての床暖房リモコン（Ｒ１）……（Ｒ８）の電源と通信線からなる通信線（Ｘ２）により通信回路（Ｒ１Ａ）を介して運転状態や運転指示信号を通信可能に構成されているものである。高温端末（２）には、マイコン（マイクロコンピュータ）（２Ｂ）、各種設定をするためのキー入力部（２Ｃ）、ＬＣＤやランプなどで構成される表示部（２Ｄ）、室温を検知するためのサーミスタ（２Ｅ）、熱源機（１）と通信を行うための通信回路（２Ａ）などが設けられている。また、床暖房用リモコン（Ｒ１）にも、同様にマイコン（Ｒ１Ｂ）、キー入力部（２Ｃ）、表示部（Ｒ１Ｄ）、サーミスタ（Ｒ１Ｅ）、熱源機（１）と通信を行うための通信回路（Ｒ１Ｄ）などが設けられている。
【００１１】
また、熱源機（１）には、各端末と信号の送受信を行う通信回路（１Ａ）、各回路を制御するためのマイコン（１Ｂ）、熱動弁ドライバ（１Ｃ）、温水サーミスタ（１Ｄ）、燃焼制御回路（１Ｅ）、プラグなどの点火器（１Ｆ）、ガス弁（１Ｇ）が設けられている。図３は熱動弁の駆動回路図で、熱源機（１）の熱動弁（ＳＶ１）……（ＳＶ８）の駆動させるための回路図を示しており、（１Ｃ）はマイコン（マイクロコンピュータ）（１Ｂ）の出力（ＰＯ１）……（ＰＯ８）に各々接続したトランジスタ（１Ｃ１）……（１Ｃ８）からなる熱動弁駆動用ドライバ、このドライバ（１Ｃ）の出力は各々の熱動弁（ＳＶ１）……（ＳＶ８）に対応したリレ-（ＲＹ１）……（ＲＹ８）とその接点（ＲＹ１Ａ）……（ＲＹ８Ａ）に接続している。
【００１２】
図４は熱源機に内蔵している制御基板の外観を示す概略図で、各端末（高温・低温共用、高温専用の端末、計１２端末）（ＴＡ１）……（ＴＡ１２）（図示せず）の信号線（Ｘ１）……（Ｘ１２）……は、接続コネクタ（ＣＮ１）……（ＣＮ１２）と接続している。
【００１３】
（ＣＮ１Ａ）……（ＣＮ８Ａ）は前記接続コネクタ（ＣＮ１）……（ＣＮ８）に接続している端末（ＴＡ１）……（ＴＡ８）が熱動弁（ＳＶ１）……（ＳＶ８）のＯＮ・ＯＦＦにより温水供給を指示してきた場合に各々に対応している熱動弁（ＳＶ１）……（ＳＶ８）に商用電源（ＡＣ１００Ｖ）を供給する電源線の接続コネクタである。
【００１４】
（Ｋ１）は、前記熱動弁（ＳＶ１）……（ＳＶ８）へ供給するコネクタ（ＣＮ１Ａ）……（ＣＮ８Ａ）への通電をグル-プ選択する選択スイッチで、この選択スイッチ（Ｋ１）は２つのスイッチ（Ｋ１Ａ）（Ｋ１Ｂ）で構成されており、これら２つのスイッチ（Ｋ１Ａ）（Ｋ１Ｂ）により、図５に示すように、各モ-ドＡ〜Ｄに切替える。Ｋは熱源機制御回路で、主に図２の通信回路（１Ａ）、マイコン（１Ｂ）等から構成されている。選択スイッチ（Ｋ１）による選択モードとの対応関係を説明図として図５に示す。この図５において、スイッチ１、２（Ｋ１Ａ）（Ｋ１Ｂ）をＯＦＦ、ＯＦＦにすることで動作モードとしてモードＡを選択し、スイッチ１、２（Ｋ１Ａ）（Ｋ１Ｂ）をＯＦＦとＯＮにすることでモードＢを選択し、スイッチ１、２（Ｋ１Ａ）（Ｋ１Ｂ）をＯＮとＯＦＦにすることでモードＣを選択し、スイッチ１、２（Ｋ１Ａ）（Ｋ１Ｂ）をＯＮ、ＯＮにすることでモードＤを選択することができるようになっている。
【００１５】
以下、本願の動作について説明する。
【００１６】
図６は熱源機（１）の制御動作を示すフロ-チャートであり、最初に選択スイッチ（Ｋ１）の選択しているモ-ドを判定する。このモードの判定は、初めにＡモードが選択されているか否かを判定し（Ｓ１）、選択されていればモードＡの処理を行う（Ｓ２）。モードＡが選択されていなければ次にモードＢが選択されているか否かを判定し（Ｓ３ ）、選択されていればモードＢの処理を行う（Ｓ４）。モードＢが選択されていなければ次にモードＣが選択されているか否かを判定し（Ｓ５）、選択されていればＣモードの処理を行う（Ｓ６）。モードＣが選択されていなければモードＤが選択されていないと判定し、モードＤの処理を行う（Ｓ７）。
【００１７】
そして、各端末（ＴＡ１）……（ＴＡ１２）（図示せず）との通信処理を行い（Ｓ８）、何れかの端末より温水要求信号があれば熱源機の燃焼を開始して温水を加熱・生成する（Ｓ９）。
【００１８】
以下、図７と図８に基づいて、モ-ドＡの動作を説明する。
【００１９】
選択スイッチ（Ｋ１）にてモ-ドＡを選択すると、熱源機（１）は端末（ＴＡ１）……（ＴＡ８）からの通信受信デ-タに基づいて各熱動弁（ＳＶ１）……（ＳＶ８）のＯＮ・ＯＦＦを端末カウンタ（Ｓ１）を利用することにより１つづつ制御する。尚、この実施例では、熱動弁のＯＮを開弁に、ＯＦＦを閉弁に対応させて説明している。
【００２０】
よって、図８のように各々の端末（Ｔ１）……（Ｔ８）の受信デ-タのＯＮ・ＯＦＦにより熱動弁（ＳＶ１）……（ＳＶ８）はＯＮ・ＯＦＦしていることがわかる。
【００２１】
即ち、８系統の各々の端末（高温・低温共用の端末）を別々に単独制御している。
【００２２】
以下図９と図１０に基づいてモ-ドＢの動作を説明する。モ-ドＢは２系統づつ４グル-プに分けて熱動弁（ＳＶ１）……（ＳＶ８）を制御するモ-ドである。
【００２３】
端末１がＯＮすると、所定時間（Ｔ１＝１秒程度）遅れて端末２がＯＮする。同様に端末４は端末３の動作に、端末６は端末５の動作に、端末８は端末７の動作に従属してＯＮ・ＯＦＦ動作する。尚、この実施例では、端末がＯＮすることを、端末の運転が開始する（放熱が開始する、温水が循環し始める）という意味で、また、逆に端末がＯＦＦすることを端末の運転が停止する（放熱が停止する、温水の循環が止められる）という意味で使用している。このように、予め熱源機の熱動弁を使用する放熱機（端末）の数により、端末数に対応した熱動弁出力をグル-プ分けする選択スイッチを設けたので、熱動弁への出力をグル-プ分けして出力でき、全部の放熱機で一斉に温水流量の低下を起きにくくでき、一斉に暖房能力が低下することを防止することができる。また、グル-プ分けした熱動弁のＯＮ出力時には、各々に時間差（この実施例では、所定時間Ｔ１に設定した例で説明したが、ＯＮする時間がずれていれば必ずしも所定時間毎でなくてもかまわない）を設けてＯＮさせるようにしたことにより、従来のように熱動弁の同時ＯＮにより発生する突入電流が無く、電流ヒュ-ズの溶断を防止できるものである。
【００２４】
以下、図１１と図１２に基づいてモ-ドＣの動作を説明する。モ-ドＣは４系統づつ２グル-プに分けて熱動弁（ＳＶ１）……（ＳＶ８）を制御するモ-ドである。
【００２５】
端末１がＯＮすると、所定時間（Ｔ１＝１秒程度）遅れて端末２がＯＮし、順次Ｔ１毎に端末３、４とＯＮする。
【００２６】
以下、図１３〜図１６に基づいてモ-ドＤの動作を説明する。
【００２７】
モ-ドＤは端末の接続が無し（無接続）の場合や、高温端末が接続されるために熱動弁を必要としない場合に、それらの条件に該当する熱動弁を前段の端末（その端末-１の端末）の動作に従属させて動作させるモ-ドである。
【００２８】
図１４の《パタ-ン１》は端末１にリモコン（Ｒ１）を接続した場合の動作を示し、Ｔ１毎に順次熱動弁がＯＮしているのを図示している。
【００２９】
図１５の《パタ-ン２》は端末１と端末６にリモコン（Ｒ１）（Ｒ６）を接続した場合の動作を示し、端末２、……、５までは端末１の動作に応じてＯＮ・ＯＦＦし、端末７、８は端末６の動作に対応して熱動弁がＯＮ・ＯＦＦしているのを図示している。
【００３０】
図１６の《パタ-ン３》は最初に端末１と端末４にリモコン（Ｒ１）（Ｒ４）により動作時に端末４が接続された場合の動作を示し、端末６の接続によりそれ以降の端末７、８は端末６の動作に従属する動作を図示している。尚、端末の有無判定については一度通信が成立して有りと判定した場合、コネクタ（ＣＮ１）……（ＣＮ１２）を外しても断線と判定する。よって、端末は有りの登録はするが無しに判定を変更することは無い。
【００３１】
このように構成された温水暖房装置では、接続端末の有無や種類を自動判別して、使用しない端末の熱動弁出力を利用することで、１つのリモコンで簡単に複数系統の熱動弁制御ができる。
【００３２】
【発明の効果】
請求項１に記載の発明によれば、熱源機に設けられた複数の熱動弁を使用する端末の数により、その端末数に対応した熱動弁出力を複数のスイッチにおけるオン・オフの組み合わせによってグループ分けするための選択スイッチを熱源機に設けたので、端末数に対応した熱動弁出力を複数系統にグループ分けして出力することが可能となり、全ての端末において一度に温水流量が低下する事態を防止でき、しかも、複雑な配線変更工事を不要とすることができる。
【００３３】
【００３４】
請求項２に記載の発明によれば、従来のように熱動弁が同時に開弁することにより発生する突入電流を発生させないようにすることができるので、電流ヒューズの溶断を防止することができる。
【図面の簡単な説明】
【図１】  本発明の温水暖房装置のシステムを示す概略図である。
【図２】  同温水暖房装置の制御システムを示す概略図である。
【図３】  同温水暖房装置における熱動弁の駆動回路図である。
【図４】  同温水暖房装置の熱源機に内蔵している制御基板の外観を示す概略図である。
【図５】  同温水暖房装置の選択スイッチのＯＮ・ＯＦＦと選択モードのとの対応関係を示す説明図である。
【図６】  同温水暖房装置の熱源機の制御動作を示すフローチャートである。
【図７】  モードＡが選択されている場合の制御動作を示すフローチャートである。
【図８】  モードＡが選択されている場合の各タイミングを示す動作説明図である。
【図９】  モードＢが選択されている場合の制御動作を示すフローチャートである。
【図１０】  モードＢが選択されている場合の各タイミングを示す動作説明図である。
【図１１】  モードＣが選択されている場合の制御動作を示すフローチャートである。
【図１２】  モードＣが選択されている場合の各タイミングを示す動作説明図である。
【図１３】  モードＤが選択されている場合の制御動作を示すフローチャートである。
【図１４】  モードＤ（パターン１）が選択されている場合の各タイミングを示す動作説明図である。
【図１５】  モードＤ（パターン２）が選択されている場合の各タイミングを示す動作説明図である。
【図１６】  モードＤ（パターン３）が選択されている場合の各タイミングを示す動作説明図である。
【符号の説明】
Ａ        温水暖房装置
１        熱源機
２        高温端末
Ｈ１、……、Ｈ８              床暖房パネル（端末）
ＳＶ１、……、ＳＶ８      熱動弁
Ｒ１、……、Ｒ８          リモコン（リモートコントローラ）
Ｋ１      選択スイッチ
【図１】
0003837224.tif 000002
【図２】
0003837224.tif 000003
【図３】
0003837224.tif 000004
【図４】
0003837224.tif 000005
【図５】
0003837224.tif 000006
【図６】
0003837224.tif 000007
【図７】
0003837224.tif 000008
【図８】
0003837224.tif 000009
【図９】
0003837224.tif 000010
【図１０】
0003837224.tif 000011
【図１１】
0003837224.tif 000012
【図１２】
0003837224.tif 000013
【図１３】
0003837224.tif 000014
【図１４】
0003837224.tif 000015
【図１５】
0003837224.tif 000016
【図１６】
0003837224.tif 000017